(57)【要約】【課題】  光ピックアップ装置の薄型化を図る。【解決手段】  基台１の外周部（外周側面）の上下に配置される部分（平面部分１ｂ）が、基台１の主面１ａに対して垂直な方向から上下に傾いて形成されている。半導体レーザ装置８をハウジングに対して所定の角度を有するように取り付けた場合に、その角度に応じて各平面部分１ｂと主面１ａとの角度を設定しておくことにより、実質的な厚みの増加が抑えられ、より薄型のピックアップ装置１０を作製することができる。【選択図】  図１
2005244192.tif 000002
【特許請求の範囲】
【請求項１】
主面側に半導体レーザ素子が搭載される基台の外周側面の上面および下面の少なくともいずれかが、上下方向の高さが小さくなるか、または最小になるように該主面に対して垂直な方向から傾斜している半導体レーザ装置。
【請求項２】
前記基台の外周側面は、正面視左右の二つの円弧状部分と、それらの間に設けられて上下に配置される互いに平行な二つの平面部分とを有し、該平面部分は前記主面に対して垂直な方向から同一方向に傾斜している請求項１に記載の半導体レーザ装置。
【請求項３】
前記半導体レーザ素子は、モニタサブマウント手段上に搭載されて前記基台の主面側に配置されている請求項１に記載の半導体レーザ装置。
【請求項４】
前記基台の主面側には、入射光を受光して信号を検出する信号検出用受光素子と、外部から戻ってきたレーザ光を該信号検出用受光素子側に分岐させるための光学素子とが配設されている請求項１〜３のいずれかに記載の半導体レーザ装置。
【請求項５】
前記半導体レーザ素子は、前記基台の主面に対して垂直な方向にレーザ光を出射させるように配置されている請求項１または３に記載の半導体レーザ装置。
【請求項６】
前記半導体レーザ素子は、前記基台の主面に平行な方向にレーザ光を出射させるように配置され、該半導体レーザ素子から出射されたレーザ光を反射して、該基台の主面に対して垂直な方向にレーザ光の進行方向を変化させる立ち上げミラー手段が該基台上に設けられている請求項１、３および５のいずれかに記載の半導体レーザ装置。
【請求項７】
凹状に形成された前記基台としての絶縁性枠体と、該絶縁性枠体の外周側面の左右面の外部から内部にかけてそれぞれ複数配置された導電性リード部材とを有し、該絶縁性枠体内部で該各リード部材と前記半導体レーザ素子および前記信号検出用受光素子の各電極とがそれぞれワイヤ接続されている請求項４に記載の半導体レーザ装置。
【請求項８】
前記光学素子は、前記絶縁性枠体の凹状内部の開口部を覆うように配設され、該絶縁性枠体の外周側面の上面および下面の少なくともいずれかと該光学素子の側面とが、該絶縁性枠体および該光学素子の上下方向の高さが小さくなるか、または最小になるように、前記半導体レーザ素子および前記信号検出用受光素子が配設される該凹状内部の底面に対して垂直な方向から傾斜している請求項７に記載の半導体レーザ装置。
【請求項９】
前記光学素子は、レーザ光を回折するための回折格子を含むホログラム素子および、前記半導体レーザ素子からのレーザ光とこれとは逆方向のレーザ光との一方を通過させると共に他方を所定方向に反射させるハーフミラーのいずれかである請求項４に記載の半導体レーザ装置。
【請求項１０】
前記信号検出用受光素子は、前記光学素子によって分岐されたレーザ光を受光して、戻ってきたレーザ光からディスク上の記録情報を検出すると共に、フォーカス誤差検出およびトラッキング誤差検出を行う請求項４、７および８のいずれかに記載の半導体レーザ装置。
【請求項１１】
請求項１〜１０のいずれかに記載の半導体レーザ装置がハウジング手段に対して所定の角度傾斜するように配置されて固定されている光ピックアップ装置。
【請求項１２】
前記半導体レーザ装置から出射されたレーザ光を対物レンズ手段の方向に反射させるための反射ミラー手段が設けられ、該半導体レーザ装置の下端が該反射ミラー手段の下端よりも上側に配置されるように、該半導体レーザ装置を前記ハウジング手段に対して傾斜させる前記所定の角度が設定されている請求項１１に記載の光ピックアップ装置。
【請求項１３】
前記半導体レーザ装置から出射されたレーザ光を対物レンズ手段の方向に反射させるための反射ミラー手段が設けられ、該半導体レーザ装置の上端が該対物レンズ手段の上端よりも下側に配置されるように、該半導体レーザ装置を前記ハウジング手段に対して傾斜させる前記所定の角度が設定されている請求項１１または１２に記載の光ピックアップ装置。
【請求項１４】
前記半導体レーザ装置における基台外周側面の上面および／または下面の平面部分と主面との角度は、前記所定の角度に応じて設定されている請求項１１〜１３のいずれかに記載の光ピックアップ装置。
【発明の詳細な説明】
【技術分野】
【０００１】
本発明は、光ディスクなどの情報記録媒体に対する情報の記録または再生に用いられる半導体レーザ装置およびこれを用いた光ピックアップ装置に関する。
【背景技術】
【０００２】
この種の半導体レーザ装置を用いた従来の光ピックアップ装置について説明する。
【０００３】
図４（ａ）は、従来の光ピックアップ装置の概略構成例を示す側面図、図４（ｂ）はその従来の光ピックアップ装置に用いられる半導体レーザ装置の基台部分の外周部を示す正面図である。
【０００４】
図４（ａ）に示すように、従来の光ピックアップ装置２０は、基台１１に半導体レーザ素子（ＬＤ）１２およびモニタサブマウント１３などの部材が設けられた半導体レーザ装置１８と、反射ミラー１４と、対物レンズ１５と、これらを収容して各位置関係に固定するハウジング（図示せず）とを有している。
【０００５】
基台１１の外周部は、図４（ｂ）に示すように、互いに平行な正面視上下二つの各平面部分１１ｂと、これらを繋ぐ正面視左右の二つの円弧状部分１１ｃとを有している。このうち、円弧状部分１１ｃは、光ピックアップ装置２０の図示しないハウジングに嵌め合わされており、基台１１を回転させることによって光の照射位置を調整するためのものである。また、平面部分１１ｂは、通常、ハウジングとの嵌め合わせには利用されず、ハウジングには接していない。これらの二つの平面部分１１ｂは、基台１１をハウジングに嵌め合せたときに上下に配置されるようになっている。
【０００６】
また、ハウジングには、反射ミラー１４、対物レンズ１５および、この対物レンズ１５と一体化された図示しないアクチュエータなどが所定の位置関係に固定されている。
【０００７】
半導体レーザ装置１８は、半導体レーザ素子（ＬＤ）１２がモニタサブマウント１３に搭載され、そのモニタサブマウント１３や図示しない信号検出用受光素子、ホログラム素子などが基台１１の主面１１ａ側に設けられている。
【０００８】
この光ピックアップ装置２０において、半導体レーザ素子１２から出射されたレーザ光は、反射ミラー１４で反射され、進行方向が変化して、対物レンズ１５を介して光ディスク１６の情報記録面上に照射される。
【０００９】
光ピックアップ装置２０において、基台１１は、平面部分１１ｂが上下方向に配置されており、半導体レーザ素子１２から出射される光ディスク１６の情報記録面に沿って平行な方向のレーザ光が反射ミラー１４に入射されるように、ハウジングに取り付けられている。
【００１０】
この光ピックアップ装置２０の薄型化を図るために、例えば特許文献１には、図５に示すように、ハウジングに対して所定の角度を有するように半導体レーザ装置１８を上側に傾けて取り付けることによって、光ピックアップ装置２０の厚みを薄くする試みが為されている。
【００１１】
図５に示す光ピックアップ装置２０Ａは、半導体レーザ装置１８がハウジングに対して所定の角度を有するように上側に傾けて取り付けられて、基台１１の下端（下側の平面部分１１ｂ）は反射ミラー１４の下端よりも上側（図４の仮想線Ｌよりも上側）に配置され、図４（ａ）の仮想線Ｌに示すように基台１１の下端が反射ミラー１４の下端よりも下側に飛び出すことがないため、その分、薄型化した光ピックアップ装置２０Ａが得られる。
【特許文献１】特許第２６２６１０６号公報
【発明の開示】
【発明が解決しようとする課題】
【００１２】
しかしながら、上記従来の光ピックアップ装置２０，２０Ａでは、半導体レーザ素子１２やモニタサブマウント１３が取り付けられる取付台である基台１１の外周側面の上下の各平面部分１１ｂが基台１１の主面１１ａに対して垂直に形成されている。このため、図５に示すように、ハウジングに対して所定の角度を有するように半導体レーザ装置１８を傾斜させて取り付けることにより光ピックアップ装置２０Ａのように薄型化しても、基台１１の外周部において上下に配置される各平面部分１１ｂがハウジングの上面に対して角度を有して配置されるため、この平面部分１１ｂに起因して光ピックアップ装置２０Ａの厚みが実質的に増えてしまうという問題がある。
【００１３】
本発明は、上記従来の問題を解決するもので、より薄型化を図ることができる光ピックアップ装置およびこれに用いられる半導体レーザ装置を提供することを目的とする。
【課題を解決するための手段】
【００１４】
本発明の半導体レーザ装置は、主面側に半導体レーザ素子が搭載される基台の外周側面の上面および下面の少なくともいずれかが、上下方向の高さが小さくなるか、または最小になるように該主面に対して垂直な方向から傾斜しており、そのことにより上記目的が達成される。
【００１５】
また、好ましくは、本発明の半導体レーザ装置における基台の外周側面は、正面視左右の二つの円弧状部分と、それらの間に設けられて上下に配置される互いに平行な二つの平面部分とを有し、該平面部分は前記主面に対して垂直な方向から同一方向に傾斜している。
【００１６】
さらに、好ましくは、本発明の半導体レーザ装置における半導体レーザ素子は、モニタサブマウント手段上に搭載されて前記基台の主面側に配置されている。
【００１７】
さらに、好ましくは、本発明の半導体レーザ装置における基台の主面側には、入射光を受光して信号を検出する信号検出用受光素子と、レーザ光を回折するための回折格子を含むホログラム素子とが配設されている。また、好ましくは、本発明の半導体レーザ装置における基台の主面側には、入射光を受光して信号を検出する信号検出用受光素子と、外部から戻ってきたレーザ光を該信号検出用受光素子側に分岐させるための光学素子とが配設されている。
【００１８】
さらに、好ましくは、本発明の半導体レーザ装置における半導体レーザ素子は、前記基台の主面に対して垂直な方向にレーザ光を出射させるように配置されている。
【００１９】
さらに、好ましくは、本発明の半導体レーザ装置における半導体レーザ素子は、前記基台の主面に平行な方向にレーザ光を出射させるように配置され、該半導体レーザ素子から出射されたレーザ光を反射して、該基台の主面に対して垂直な方向にレーザ光の進行方向を変化させる立ち上げミラー手段が該基台上に設けられている。
【００２０】
さらに、好ましくは、本発明の半導体レーザ装置において、凹状に形成された前記基台としての絶縁性枠体と、該絶縁性枠体の外周側面の左右面の外部から内部にかけてそれぞれ複数配置された導電性リード部材とを有し、該絶縁性枠体内部で該各リード部材と前記半導体レーザ素子および前記信号検出用受光素子の各電極とがそれぞれワイヤ接続されている。
【００２１】
さらに、好ましくは、本発明の半導体レーザ装置における光学素子は、前記絶縁性枠体の凹状内部の開口部を覆うように配設され、該絶縁性枠体の外周側面の上面および下面の少なくともいずれかと該光学素子の側面とが、該絶縁性枠体および該光学素子の上下方向の高さが小さくなるか、または最小になるように、前記半導体レーザ素子および前記信号検出用受光素子が配設される該凹状内部の底面に対して垂直な方向から傾斜している。
【００２２】
さらに、好ましくは、本発明の半導体レーザ装置における光学素子は、レーザ光を回折するための回折格子を含むホログラム素子および、前記半導体レーザ素子からのレーザ光とこれとは逆方向のレーザ光との一方を通過させると共に他方を所定方向に反射させるハーフミラーのいずれかである。
【００２３】
さらに、好ましくは、本発明の半導体レーザ装置における信号検出用受光素子は、前記光学素子によって分岐されたレーザ光を受光して、戻ってきたレーザ光からディスク上の記録情報を検出すると共に、フォーカス誤差検出およびトラッキング誤差検出を行う。
【００２４】
本発明の光ピックアップ装置は、請求項１〜１０のいずれかに記載の半導体レーザ装置がハウジング手段に対して所定の角度傾斜するように配置されて固定されており、そのことにより上記目的が達成される。
【００２５】
また、好ましくは、本発明の光ピックアップ装置における半導体レーザ装置から出射されたレーザ光を対物レンズ手段の方向に反射させるための反射ミラー手段が設けられ、該半導体レーザ装置の下端が該反射ミラー手段の下端よりも上側に配置されるように、該半導体レーザ装置を前記ハウジング手段に対して傾斜させる前記所定の角度が設定されている。
【００２６】
さらに、好ましくは、本発明の光ピックアップ装置における半導体レーザ装置から出射されたレーザ光を対物レンズ手段の方向に反射させるための反射ミラー手段が設けられ、該半導体レーザ装置の上端が該対物レンズ手段の上端よりも下側に配置されるように、該半導体レーザ装置を前記ハウジング手段に対して傾斜させる前記所定の角度が設定されている。
【００２７】
さらに、好ましくは、本発明の光ピックアップ装置において、半導体レーザ装置における基台外周側面の上面および／または下面の平面部分と主面との角度は、前記所定の角度に応じて設定されている。
【００２８】
上記構成により、以下、本発明の作用について説明する。
【００２９】
本発明にあっては、上下方向の高さが小さく（または最小に）なるように、基台の外周側面の上面および下面の少なくともいずれかが、基台主面に対して垂直な方向から傾いて形成されているため、ハウジングに対して所定の角度を有するように半導体レーザ装置を傾けて取り付けた場合に、その所定の角度に応じてその基台の主面と基台の外周側面の上面および／または下面との角度を設定しておくことにより、光ピックアップ装置の厚みの実質的な増加が抑えられ、より薄型のピックアップ装置が得られる。
【００３０】
また、半導体レーザ素子を、基台の主面に沿って平行な方向に光を出射させるように配置して、半導体レーザ素子から出射されたレーザ光を反射させて、基台の主面に対して垂直な方向に光の進行方向を変化させるように立ち上げミラー手段を設けることによって、半導体レーザ装置の水平方向（図２で左右方向）のサイズを小さくでき、しかも、前述したように半導体レーザ装置の高さ方向（図２で上下方向）の厚みも薄くできて、光ピックアップ装置の厚みが薄くなる。
【発明の効果】
【００３１】
以上により、本発明によれば、上下方向の高さが小さく（または最小に）なるように、基台外周側面の上面および下面の少なくともいずれかが、基台の主面に対して垂直な方向から傾いて所定の角度を有しているため、ハウジングに対して所定の角度を有するように半導体レーザ装置を取り付けた場合に、その基台の外周側面の上面および／または下面が例えば上下に角度を有して傾くことなく、その基台の外周側面の上面および／または下面を例えば水平方向に配置させることができるため、光ピックアップ装置の実質的な厚みの増加を抑えて、より薄型の光ピックアップ装置を実現することができる。
【発明を実施するための最良の形態】
【００３２】
以下に、本発明の半導体レーザ装置の実施形態１，２を光ピックアップ装置に適用した場合、さらに本発明の半導体レーザ装置の実施形態３として具体的構成例について、図面を参照しながら説明する。なお、以下では、本発明に直接関係の無い部分については説明を簡略化している。
（実施形態１）
図１（ａ）は、本発明の光ピックアップ装置の実施形態１における概略構成を示す側面図であり、図１（ｂ）はその光ピックアップ装置に用いられる半導体レーザ装置の基台部分の外周部を示す正面図である。
【００３３】
図１（ａ）に示すように、光ピックアップ装置１０は、基台１に半導体レーザ素子（ＬＤ）２およびモニタサブマウント手段としてのモニタサブマウント３などの各部材が設けられた半導体レーザ装置８と、反射ミラー手段としての反射ミラー４と、対物レンズ手段としての対物レンズ５と、これらを収容して所定の各位置関係に固定するハウジング手段としてのハウジング（図示せず）とを有している。
【００３４】
半導体レーザ装置８は、半導体レーザ素子（ＬＤ）２がモニタサブマウント３に搭載され、そのモニタサブマウント３や、入射光を受光して信号を検出する図示しない信号検出用受光素子と、レーザ光を回折するための回折格子を含む図示しないホログラム素子などが基台１の主面１ａ側に設けられている。
【００３５】
その基台１ａの外周部（外周側面）は、図１（ｂ）に示すように、正面視左右の二つの円弧状部分（円弧状曲面部分）１ｃと、それらの間に設けられた上下に互いに平行な二つの平面部分１ｂとを有している。このうち、円弧状部分１ｃは、光ピックアップ装置１０の図示しないハウジングに嵌め合わされており、基台１を回転させることによって光の照射位置を調整するためのものである。また、各平面部分１ｂはそれぞれ、通常、ハウジングとの嵌め合わせには利用されず、ハウジングには接していない。この二つの各平面部分１ｂはそれぞれ、基台１をハウジングに嵌め合わせたときに上下に配置される。
【００３６】
また、ハウジングには、反射ミラー４、対物レンズ５および、この対物レンズ５と一体化された図示しないアクチュエータなどが固定されている。
【００３７】
この光ピックアップ装置１０において、半導体レーザ素子２は、基台１の主面１ａに対して垂直に配置されており、主面１ａに対して垂直な方向に光を出射させるようになっている。半導体レーザ素子２から出射されたレーザ光は、反射ミラー４で反射され、進行方向を変化させて、対物レンズ５を通ってディスク６の情報記録面上に照射される。この情報記録面で反射されたレーザ光は、対物レンズ５を通って反射ミラー４で反射されて戻り、ホログラム素子に設けられた回折格子によって回折されて信号検出用受光素子に入射され、信号検出用受光素子において、ディスク６に記録された情報が信号として検出される。
【００３８】
光ピックアップ装置１０の厚みを決める要因のうちの重要なものとして、半導体レーザ装置８の厚みＡが挙げられる。
【００３９】
本実施形態１では、ハウジングに対して半導体レーザ装置８が所定の角度を有するように、基台１をハウジングに嵌め込む。このハウジングと半導体レーザ装置８との角度は、反射ミラー４と半導体レーザ装置８との位置関係から、反射ミラー４の下端よりも半導体レーザ装置８の下端（平面部分１ｂ）が上側に配置されて、半導体レーザ装置８の下端（平面部分１ｂ）が反射ミラー４の下端よりも下側に飛び出さないように設定されている。ここでは、ハウジングに対して角度を付けないで半導体レーザ装置８を取り付けた場合に比べて、半導体レーザ装置８の下端（平面部分１ｂ）が反射ミラー４の下端よりも下側に飛び出さないため、光ピックアップ装置１０の厚みを更に薄くすることができる。
【００４０】
さらに、本実施形態１においては、基台１の外周部（外周側面）において上側に配置される部分（平面部分１ｂ）が、基台１の主面１ａに対して垂直方向から角度が小さくなる方向に傾いており、下側に配置される部分（平面部分１ｂ）が、基台１の主面１ａに対して垂直方向から角度が大きくなる方向（上記角度が小さくなる方向と同一方向；左回転方向）に傾いており、これらの角度が共に同一の所定の角度を有している。
【００４１】
このように、ハウジングに対して所定の角度を有して半導体レーザ装置８を取り付けた場合に、基台側面の各平面部分１ｂを主面に対して垂直に形成した従来の場合に比べて、基台１の各平面部分１ｂが上下に傾かず、この部分（各平面部分１ｂ）に起因した半導体レーザ装置８の厚みＡの増加を抑えて、より薄型の光ピックアップ装置１０を実現することができる。
【００４２】
このように、主面１ａと平面部分１ｂとの角度は、上述したハウジングと半導体レーザ装置８との取付け角度に応じて設定することによって、ハウジングに対して所定の角度を有して半導体レーザ装置８を取り付けた場合に、各平面部分１ｂが上下に傾くことなく共に水平になるため、半導体レーザ装置８の高さ方向の厚みＡが最も薄くなり、好ましい。
（実施形態２）
図２は、本発明の光ピックアップ装置の実施形態２における概略構成を示す側面図である。
【００４３】
図２に示すように、光ピックアップ装置１０Ａは、モニタサブマウント手段としてのモニタサブマウント３に搭載された半導体レーザ素子２の長手方向が、基台１の主面１ａに沿って平行に配置されており、主面１ａに対して平行な方向に光を出射させる。基台１の主面１ａには、立ち上げミラー手段としての立ち上げミラー７が設けられており、半導体レーザ素子２から出射されたレーザ光を反射させて主面１ａに垂直な方向に光の進行方向を変化させる。主面１ａに対して垂直な方向に進行するレーザ光は、反射ミラー手段としての反射ミラー４で反射されて進行方向が変化し、対物レンズ５を介して光ディスク６の情報記録面上に照射される。
【００４４】
本実施形態２においても、上記実施形態１の場合と同様に、基台１の外周部（側面）において上側に配置される部分（平面部分１ｂ）が、基台１の主面１ａに対して垂直方向から角度が小さくなる方向に傾いており、下側に配置される部分（平面部分１ｂ）が、基台１の主面１ａに対して垂直方向から角度が大きくなる方向（上記角度が小さくなる方向と同一方向；左回転方向）に傾いており、これらの角度が共に同一の所定の角度を有している。
【００４５】
このように、ハウジングに対して所定の角度を有して半導体レーザ装置８Ａを取り付けた場合に、基台側面の各平面部分１ｂを主面１ａに対して垂直に形成した従来の場合に比べて、基台１の各平面部分１ｂが上下に傾かず、この部分（各平面部分１ｂ）に起因した半導体レーザ装置８Ａの厚みＡの増加を抑えて、光ピックアップ装置１０Ａの厚みＡをより薄くすることができる。
【００４６】
さらに、本実施形態２においては、基台１の主面１ａに平行な方向にレーザ光を出射させるように半導体レーザ素子２の長手方向を主面１ａに沿った方向に配設し、かつ立ち上げミラー７を設けることによって、半導体レーザ装置８Ａの水平方向（図２で左右方向）のサイズを小さくでき、しかも、前述したように半導体レーザ装置８Ａの高さ方向の厚みＡを薄くして、光ピックアップ装置１０Ａの薄型化および小型化を図ることができる。
【００４７】
以上により、本実施形態１，２によれば、基台１の外周部（外周側面）の上下に配置される部分（平面部分１ｂ）が、半導体レーザ装置８，８Ａの上下方向の高さが最小になるように基台１の主面１ａに対して垂直な方向から上下に傾いて形成されている。半導体レーザ装置８，８Ａをハウジングに対して所定の角度を有するように取り付けた場合に、その所定の角度に応じて各平面部分１ｂと主面１ａとの角度を傾けて設定しておくことにより、半導体レーザ装置８，８Ａの実質的な厚みＡの増加が抑えられ、より薄型のピックアップ装置１０，１０Ａを作製することができる。
【００４８】
なお、上記実施形態１，２では、主面１ａ側に半導体レーザ素子２が搭載される基台１の外周側面の上面および下面（各平面部分１ｂ）が共に、主面１ａに対して上下方向の高さが最小になるように主面１ａに対して垂直な方向から同一方向に傾斜している場合について説明したが、これに限らず、主面１ａ側に半導体レーザ素子２が搭載される基台１の外周側面の上面または下面が、上下方向の高さ（図１および図２の上下方向）が主面１ａに対して垂直な方向に比べて小さくなるように、主面１ａに対して垂直な方向から傾斜していてもよい。以上の場合に、基台１の外周側面の上面および／または下面は、水平方向に沿った面であってもよいし、水平方向に沿った面でなくてもよい。さらには、基台１の外周側面全画が、主面１ａに対して上下方向の高さが最小になるか、小さくなるように主面１ａに対して垂直な方向から傾斜していてもよい。
【００４９】
また、上記実施形態１において、円弧状部分１ｃは、光ピックアップ装置１０の図示しないハウジングに嵌め合わされており、基台１を回転させることによって光の照射位置を調整するためのものであることを説明したが、ほとんどの場合、光の照射位置調整が不要であるか、または光の照射位置調整量が微量であるので、基台１を回転させない無調整の場合と略同等とすることができ、いずれにせよ、基台１の外周側面の上面および／または下面が、半導体レーザ装置８，８Ａの上下方向の高さ（図１および図２の上下方向）を主面１ａに対して垂直な方向に比べて小さくするように、主面１ａに対して垂直な方向から傾斜していれば、本発明の薄型化する効果を奏する。
【００５０】
さらに、上記実施形態１，２では、半導体レーザ装置８，８Ａから出射されたレーザ光を対物レンズ５の方向に反射させるための反射ミラー４が設けられ、半導体レーザ装置８，８Ａの下端が反射ミラー４の下端よりも上側に配置されるように、半導体レーザ装置８，８Ａをハウジングに対して傾斜させる所定の角度を設定するようにしたが、これに加えてまたはこれとは別に、半導体レーザ装置８，８Ａの上端が対物レンズ５の上端よりも下側に配置されるように、半導体レーザ装置８，８Ａをハウジングに対して傾斜させる所定の角度に設定するようにしてもよい。この場合にも、半導体レーザ装置８，８Ａにおける基台１の外周側面の上下の各平面部分１ｂと主面１ａとの角度は上記所定の角度に応じて設定される。
（実施形態３）
本実施形態３では、上記実施形態２の半導体レーザ装置８Ａにおける具体的構成例について説明する。
【００５１】
図３は、図２の半導体レーザ装置の具体的構成例を示す斜視図である。
【００５２】
図３において、半導体レーザ装置８Ａの具体的構成例として、凹状に形成された基台１としての絶縁性枠体である絶縁性パッケージと、この凹状の絶縁性パッケージの前後の対向面１ｃ（側面の左右面）側で外部から内部にかけてそれぞれ複数配置された導電性リード部材としてのリード２１と、絶縁性パッケージ内部の底面上に、レーザ光を出射する半導体レーザ素子２と、この半導体レーザ素子２からのレーザ光を反射して外部に出射する反射ミラー７（立上げミラー）と、この反射ミラー７の前面に設けられ、この半導体レーザ素子２からのレーザ光が、情報が記録された外部の反射体（ディスク）で反射し、戻ってきたレーザ光を所定方向に分岐させて出射させる光学素子と、分岐したレーザ光が入射される信号受光素子２２とを備え、絶縁性パッケージの絶縁性枠体内部で各リード２１の端部と、半導体レーザ素子２および信号受光素子２２の各電極とがそれぞれワイヤ接続されて電気的に接続されて駆動可能とされている。
【００５３】
光学素子は、図３では図示されていないが、必要な所に焦点を作ることができるホログラム素子で構成されていてもよく、ディスクの情報記録面で反射して変調されて戻ってきたレーザ光を、ホログラム素子に設けられた回折格子によって回折させて、信号検出用受光素子としての信号受光素子２２側に分岐させて、信号受光素子２２でディスク６に記録された情報を検出する。なお、光学素子は、ホログラム素子に限らず、戻ってきたレーザ光を信号受光素子２２側に出射できるものであればよい。光学素子として、例えば、半導体レーザ素子２から出射したレーザ光は直進させ、戻ってきたレーザ光は信号受光素子２２側に反射させるような例えばハーフミラーを反射ミラー７の前面に設けてもよい。即ち、  ハーフミラーは、半導体レーザ素子２からのレーザ光とこれとは逆方向のレーザ光との一方を通過させると共に他方を所定方向に反射させるものである。
【００５４】
光学素子は、絶縁性パッケージの凹状内部の開口部を覆うように配設され、絶縁性パッケージの外周側面の上面および下面１ｂの少なくともいずれかとその光学素子の側面とが、絶縁性パッケージおよび光学素子の上下方向の高さ（図３では左右方向の距離）が小さくなるか、または最小になるように、半導体レーザ素子２および信号検出用受光素子２２が配設される凹状内部の底面に対して垂直な方向（破線Ｄ）から傾斜している。
【００５５】
信号受光素子２２は、光学素子によって分岐したレーザ光を受光して、戻ってきたレーザ光からディスク上の記録情報を光電変換して電気信号に変換して、記録情報を検出すると共に、フォーカス誤差検出およびトラッキング誤差検出を行う。
【００５６】
なお、本実施形態３では上記実施形態２の具体的構成例として、この反射ミラー７の前面に光学素子を配置して構成したが、これに代えて、半導体レーザ素子２の前面に光学素子を配置して構成することにより、上記実施形態１の具体的構成例についても同様に構成できる。
【００５７】
以上のように、本発明の好ましい実施形態１〜３を用いて本発明を例示してきたが、本発明は、この実施形態１〜３に限定して解釈されるべきものではない。本発明は、特許請求の範囲によってのみその範囲が解釈されるべきであることが理解される。当業者は、本発明の具体的な好ましい実施形態１〜３の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００５８】
本発明は、情報記録媒体（光ディスク）の情報の記録または再生に用いられる半導体レーザ装置およびこれを用いた光ピックアップ装置の分野において、基台外周部（外周側面）の上下に配置される部分（平面部分）が、基台主面に対して垂直な方向から上下に傾いているため、ハウジングに対して所定の角度を有するように半導体レーザ装置を取り付けた場合に、実質的な厚みの増加を抑えて、より薄型の光ピックアップ装置を実現することができる。このように薄型化された光ピックアップ装置を用いて、小型化・薄型化された光ディスクの記録・再生装置を実現することができる。
【図面の簡単な説明】
【００５９】
【図１】（ａ）は本発明の光ピックアップ装置の実施形態１における概略構成例を示す側面図、（ｂ）はその光ピックアップ装置に用いられる半導体レーザ装置の基台部分の外周部を示す正面図である。
【図２】本発明の光ピックアップ装置の実施形態２における概略構成例を示す側面図である。
【図３】図２の半導体レーザ装置の具体的構成例を示す斜視図である。
【図４】（ａ）は従来の光ピックアップ装置の概略構成例を示す側面図、（ｂ）はその従来の光ピックアップ装置に用いられる半導体レーザ装置の基台部分の外周部を示す正面図である。
【図５】従来の光ピックアップ装置の他の概略構成例を示す側面図である。
【符号の説明】
【００６０】
１  基台
１ａ  基台主面（広面）
１ｂ  基台外周部において上下に配置される平面部分
１ｃ  基台外周部における左右の円弧状部分
２  半導体レーザ素子（ＬＤ）
３  モニタサブマウント
４  反射ミラー
５  対物レンズ
６  光ディスク
７  立ち上げミラー
８，８Ａ  半導体レーザ装置
１０，１０Ａ  光ピックアップ装置
２１  リード
２２  信号受光素子
【図１】
2005244192.tif 000003
【図２】
2005244192.tif 000004
【図３】
2005244192.tif 000005
【図４】
2005244192.tif 000006
【図５】
2005244192.tif 000007